(57)【特許請求の範囲】
【請求項１】
一定速度で記録用紙を搬送し、ラインヘッドにより記録用紙に記録を行う画像処理装置において、
目的の画像縮小率を設定する縮小率設定手段と、ラインヘッドへの１ラインの画像信号の転送周期を等倍記録時よりも、可能な範囲で短くして走査線間を短くして画像縮小する第１の画像縮小手段と、第１の画像縮小手段により、前記縮小率設定値に縮小できない場合に、画像の走査線の間引きにより、設定値まで縮小する第２の画像縮小手段と、を備えたことを特徴とする画像処理装置。
【請求項２】
設定縮小率まで画像を縮小させるときに、前記ラインヘッドへの１ラインの画像信号の転送クロックは変化させないことを特徴とする請求項１記載の画像処理装置。
【発明の詳細な説明】
【０００１】
【発明の属する技術分野】
この発明は、複写機、ファクシミリ装置、複写機能・ファクシミリ機能等多機能を有する複合機などの画像処理装置に関する。
【０００２】
【従来の技術】
ファクシミリ装置などの画像処理装置には、画像を縮小して記録する機能を有するものがある。従来の縮小方式には、図１に示すように主走査ラインの画像を間引いて記録する方式、図２に示すように縮小率に応じてラインヘッドの画像の転送周期を等倍時より短くして、走査線間を狭くして記録する方式等がある。
【０００３】
【発明が解決しようとする課題】
上記した従来の縮小方式のうち、主走査線の画像を間引く方式は、処理が簡単であるが、縮小率を高くする場合、間引きが多くなるため、記録画質を下げるという問題がある。
【０００４】
また、縮小率に応じてラインヘッドの画像の転送周期を短くする方式では、縮小による画質劣化はないが、解像度の高い画像の場合は、短くした周期で画像処理を行うと、データ転送設定など、ライン毎にしなければならない処理が周期に追随できず、縮小率を高くするには、やはり限界がある。
【０００５】
この発明は上記問題点に着目してなされたものであって、記録画質を落とすことなく、ある程度の縮小率も確保し得る画像処理装置を提供することを目的としている。
【０００６】
【課題を解決するための手段】
この発明の画像処理装置は、一定速度で記録用紙を搬送し、ラインヘッドにより記録用紙に記録を行うものにおいて、目的の画像縮小率を設定する縮小率設定手段と、ラインヘッドへの１ラインの画像信号の転送周期を等倍記録時よりも、可能な範囲で短くして走査線間を短くして画像縮小する第１の画像縮小手段と、第１の画像縮小手段により、前記縮小率設定値に縮小できない場合に、画像の走査線の間引きにより、設定値まで縮小する第２の画像縮小手段と、を備えている。
【０００７】
この画像処理装置では、目標とする縮小率が、ラインヘッドの１ラインの画像信号の転送周期を可能な範囲で短くすることにより縮小するその縮小率よりも大なる場合、先ず、第１の画像縮小手段でラインヘッドの１ラインの画像信号の転送周期を可能な範囲まで短くすることにより縮小を行い、その後の更に目標とする縮小率までの縮小は、第２の画像縮小手段による画像の走査線の間引きにより行う。
【０００８】
【発明の実施の形態】
以下、実施の形態により、この発明を更に詳細に説明する。図１は、この発明が実施されるファクシミリ装置の構成を示すブロック図である。このファクシミリ装置は画像の縮小機能付きであり、ＣＰＵ（制御部）１、ＮＣＵ２、ＭＯＤＥＭ３、ＲＯＭ４、ＳＲＡＭ５、画像メモリ（ＤＲＡＭ）６、制御部７、ＣＯＤＥＣ（符号化・復号器：Coder and Decoder ）８、ＣＣＤスキャナ９、画像処理部１０、ＳＲＡＭ１１、ゲートアレイ１２、高速ＳＲＡＭ１３、ＬＥＤヘッド１４、ゲートアレイ１５、モータドライバ１６、システムバス１７を備える。
【０００９】
ＣＰＵ１は、この装置を構成する各部を制御する。ＮＣＵ２は、電話回線網（ＰＳＴＮ）１８との接続を制御すると共に、相手先の電話番号（ＦＡＸ番号を含む）に対応したダイヤル信号の送出及び着信を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１０】
ＲＯＭ４は、この装置を制御するためのプログラムを記憶する。ＳＲＡＭ５は、データ等を一時的に記憶する。画像メモリ６は、ＮＣＵ２、ＭＯＤＥＭ３を介して受ける受信画データや、ＣＣＤスキャナ９で読み取った画データを一時的に記憶する。操作部７は、ユーザがＦＡＸ送信・受信、プリント等の指示をするためのものである。ＣＯＤＥＣ８は、読み取った画データを送信するためにＭＨ、ＭＲ、ＭＭＲ方式等により符号化（エンコード）し、受信画データを復号（デコード）する。ＣＣＤスキャナ９は、ＦＡＸ送信するときに原稿の画データを読み取る。画像処理部１０は、ＣＣＤスキャナ９で読み取られた原稿を画像処理し、画像メモリ６に記憶させる
ＳＲＡＭ１１は、ＣＯＤＥＣ８で符号化あるいは復号化するデータを格納する。ゲートアレイ１２は、プリントすべき画像データに画像処理を施し、ＬＥＤヘッド１４にプリントすべき画像データに応じた駆動信号を供給する。ＬＥＤヘッド１４は、画像データに応じ、回転する感光ドラム（図示省略）を露光し、プリントする。後述する水平同期信号ＨＳＹＮＣの時間、先端余白、後端余白、縮小率等は、ゲートアレイ１２に予め設定する。縮小処理は、これらの設定に応じてプリント処理時に実施される。
【００１１】
次に、上記実施形態装置において、プリンタ縮小設定処理について、図４に示すフロー図を参照して説明する。このプリンタ縮小設定処理ルーチンに入ると、先ずステップＳＴ１において、印字縮小を指示する。ここでは、予め縮小率が設定されている。次に、ステップＳＴ２へ移行する。ステップＳＴ２においては、ライン間タイミングで実現可能な縮小率か否かを判定する。具体的には、この実施形態装置において、短くできる可能な転送周期より考慮した縮小率に対し、目標とする今回設定の縮小率が小さいか否かで判定する。ライン間タイミングで実現可能な縮小率よりも、目標とする縮小率が小さい場合は、ステップＳＴ８へ移行する。一方、ライン間タイミングで実現可能な縮小率より、目標とする縮小率の方が大きい場合は、ステップＳＴ３へ移行する。ステップＳＴ８においては、縮小率に応じたライン間のタイミング、つまりラインヘッドの転送周期をセットする。次に、ステップＳＴ７へ移行し、印字を開始する。
【００１２】
なお、ここでライン間の転送周期とは、図６に示すように、１ラインの画像信号を転送してから、次の１ラインの画像信号を転送するまでの期間である。１ラインの画像信号の転送は、転送クロック１個毎に１画素が転送される。１ラインの画像が転送されてから、次の１ラインの画像を転送するまでに、所定転送休止時間がある。転送クロックを変化させることなく、１ラインの画像信号の転送時間は一定であるが、転送休止時間を縮小率に応じて変えることにより、ライン間の転送周期が変更される。図６の（ａ）は、転送周期が長く、図６の（ｂ）は転送周期が短い。図６の（ａ）から図６の（ｂ）に示すように、転送周期を変更すると、走査線間が狭くなり、画像が縮小される。
【００１３】
ステップＳＴ３においては、セット可能な最小のライン間タイミングを計算（最も短くできる転送周期）する。そして、ステップＳＴ４へ移行する。ステップＳＴ４においては、計算したライン間タイミングをセットする。次に、ステップＳＴ５へ移行する。
【００１４】
ステップＳＴ５においては、足りない分の縮小率（例えば、目標とする縮小率が６に対し、ライン間タイミングでの可能な縮小率が３の場合、さらに縮小の必要な縮小率２）を実現するための間引き率を計算する。続いて、ステップＳＴ６へ移行する。ステップＳＴ６においては、間引き率をセットする。次に、ステップＳＴ７へ移行する。ステップＳＴ７においては、印字を開始する。印字はセットしたライン間タイミングで走査線間隔を狭くしながらセットした間引き率で走査線を間引きしながら印字を行う。このライン間タイミングで走査線間隔を狭くする方式と、走査線の間引きとを併用した場合の縮小例を図５に示している。
【００１５】
【発明の効果】
この発明によれば、目的の画像縮小率を設定する縮小率設定手段と、ラインヘッドへの１ラインの画像信号の転送周期を等倍記録時よりも、可能な範囲で短くして走査線間を短くして画像縮小する第１の画像縮小手段と、第１の画像縮小手段により、前記縮小率設定値に縮小できない場合に、画像の走査線の間引きにより、設定値まで縮小する第２の画像縮小手段とを備え、縮小率が大なる場合には、１ラインの画像信号の転送周期を短くするとともに、間引きも併用して縮小するので、記録画質を極端に低下することなく、所望の比較的高い縮小率の記録を行うことができる。
【図面の簡単な説明】
【図１】走査線の間引きによる縮小を説明する図である。
【図２】同走査線画像の転送周期を速くすることによる縮小を説明する図である。
【図３】この発明の一実施形態であるファクシミリ装置の構成を示すブロック図である。
【図４】同実施形態ファクシミリ装置のプリンタ縮小設定処理を説明するフロー図である。
【図５】実施形態ファクシミリ装置の縮小を説明する図である。
【図６】ラインヘッドの転送周期の変更により、縮小率を変化させることを説明する図である。
【符号の説明】
１      ＣＰＵ
２      ＮＣＵ
３      ＭＯＤＥＭ
４      ＲＯＭ
５      ＳＲＡＭ
６      画像メモリ
７      操作部
８      ＣＯＤＥＣ
９      ＣＣＤスキャナ
１０    画像処理部
１１    ＳＲＡＭ
１２    ゲートアレイ
１３    高速ＳＲＡＭ
１４    ＬＥＤヘッド
１５    ゲートアレイ
１６    モータドライバ
１７    システムバス
１８    電話回線
【図１】
0003711908.tif 000002
【図２】
0003711908.tif 000003
【図３】
0003711908.tif 000004
【図４】
0003711908.tif 000005
【図５】
0003711908.tif 000006
【図６】
0003711908.tif 000007